(57)【要約】【課題】従来に比べて工期短縮化を図ることを可能としたタンク底版の施工方法およびこれに使用する底版架台を提案する。【解決手段】下部鉄筋２１を配筋する下筋配筋工程と、下部鉄筋２１の上方に底版架台４を形成する架台形成工程と、下部鉄筋２１の上方に底部ヒーター３を形成するヒーター形成工と、底版架台４上に上部鉄筋２２を配筋する上筋配筋工程と、コンクリートを打設する打設工程とを備えるタンク底版の施工方法であって、架台形成工程では上下二段の足場６，６と、足場６同士の間に配設された管材３１とを備える複数の架台ブロック５を配設することにより底版架台４を形成し、ヒーター形成工程では管材３１同士を連結することにより底部ヒーター３を形成する。【選択図】図２
2019157513.tif 000002
【特許請求の範囲】
【請求項１】
下部鉄筋を配筋する下筋配筋工程と、
前記下部鉄筋の上方に底版架台を形成する架台形成工程と、
前記下部鉄筋の上方に底部ヒーターを形成するヒーター形成工程と、
前記底版架台上に上部鉄筋を配筋する上筋配筋工程と、
コンクリートを打設する打設工程と、を備えるタンク底版の施工方法であって、
前記架台形成工程では、足場と、前記足場の下方に配設されたヒーター部材とを備える複数の架台ブロックを配設することにより前記底版架台を形成し、
前記ヒーター形成工程では、前記ヒーター部材同士を連結することにより前記底部ヒーターを形成することを特徴とする、タンク底版の施工方法。
【請求項２】
架台形成工程の前に、タンク施工サイトとは異なる位置に設けられた仮設サイトにおいて底版架台を形成する仮組み立て工程を備えており、
架台形成工程では、仮組み立て工程で組み立てられた底版架台を移動させることを特徴とする、請求項１に記載のタンク底版の施工方法。
【請求項３】
タンク施工サイトと仮設サイトとの間に配設された揚重機を利用して、仮設サイトからタンク施工サイトに底版架台を構成する架台ブロックを移動させることを特徴とする、請求項２に記載のタンク底版の施工方法。
【請求項４】
架台形成工程では、ヒーター部材を所定の位置から横方向にずらした状態で架台ブロックに仮止めしておき、
ヒーター形成工程では、ヒーター部材を所定の位置にずらしてから他のヒーター部材と連結することを特徴とする、請求項１乃至請求項３のいずれか１項に記載のタンク底版の施工方法。
【請求項５】
複数の架台ブロックを並設することにより形成された底版架台であって、
前記架台ブロックは、足場と、前記足場の下方に配管された管材と、前記管材を支持する管サポートと、前記足場および前記管サポートを支持する支柱と、を備えていることを特徴とする、底版架台。
【請求項６】
底版架台は、
中央部に配設される平面視円形状の第一架台ブロックと、
前記第一架台ブロックの周囲を囲うように配設される平面視弧状の第二架台ブロックと、を備えていることを特徴とする、請求項５に記載の底版架台。
【発明の詳細な説明】
【技術分野】
【０００１】
本発明は、タンク底版の施工方法およびこれに使用する底版架台に関する。
【背景技術】
【０００２】
地上ＬＮＧタンクや地下ＬＮＧタンクでは、天然ガスを冷却し、液化した状態で貯蔵している。地上ＬＮＧタンクや地下ＬＮＧタンクの底版には、基礎地盤が凍結して膨張することを防止するために、底部ヒーターが埋設されている（例えば、特許文献１参照）。底部ヒーターは、底版内に配筋される鉄筋と接触することがないように配設する必要がある。底部ヒーターは、タンク底版内に配筋される下部鉄筋の上方において、ヒーター部材（例えば、電熱線やヒーター管）を配設することにより形成する。
底版の施工は、下部鉄筋の配筋、底部ヒーター用架台の設置、底部ヒーター用架台を利用した底部ヒーターの設置、配筋用架台の設置、および配筋用架台を利用した上部鉄筋の配筋を順に行った後、コンクリートを打設することにより行う。
【先行技術文献】
【特許文献】
【０００３】
【特許文献１】特開２００９−２９９７４９号公報
【発明の概要】
【発明が解決しようとする課題】
【０００４】
前記従来のタンク底版の施工では、下部鉄筋を配筋した後、上部鉄筋の配筋完了までに多数の作業工程を順番に実施する必要があったため、工期短縮化に限界があった。すなわち、底部ヒーターの施工は、底部ヒーター用架台の設置が完了するまで作業を開始することができなかった。また、上部鉄筋の配筋作業は、底部ヒーターを設置した後、配筋用架台の設置が完了するまで作業を開始することができなかった。さらに、底部ヒーターは、複数のヒーター部材を連結することにより形成するが、ヒーター部材の位置決めには手間がかかる。例えば、渦巻き状に配管されたヒーター管で底部ヒーターを構成する場合には、中間部における管材の位置決めが困難であった。そのため、管材を片押し施工により連結する必要があり、作業に手間がかかっていた。
本発明は、前記の問題点を解決することを目的とするものであり、従来に比べて工期短縮化を図ることを可能としたタンク底版の施工方法およびこれに使用する底版架台を提案することを課題とする。
【課題を解決するための手段】
【０００５】
前記課題を解決するために、本発明のタンク底版の施工方法は、下部鉄筋を配筋する下筋配筋工程と、前記下部鉄筋の上方に底版架台を形成する架台形成工程と、前記下部鉄筋の上方に底部ヒーターを形成するヒーター形成工程と、前記底版架台上に上部鉄筋を配筋する上筋配筋工程と、コンクリートを打設する打設工程とを備えている。
前記架台形成工程では、足場と、前記足場の下方に配設されたヒーター部材とを備える複数の架台ブロックを配設することにより前記底版架台を形成する。また、前記ヒーター形成工程では、前記ヒーター部材同士を連結することにより前記底部ヒーターを形成する。
かかるタンク底版の施工方法によれば、底版架台がヒーター部材の上方に足場を備えているため、底部ヒーターの施工（ヒーター形成工程）と並行して、底版架台の上で上部鉄筋の配筋（上筋配筋工程）を行うことができる。そのため、工期短縮が可能である。また、底版架台は、予め足場とヒーター部材とを備える架台ブロックを配設することにより形成されているため、底部ヒーター用の架台と、上部鉄筋用の架台とを個別に形成する従来の施工方法に比べて、手間を大幅に削減することができる。底部ヒーターの施工は、架台ブロックの設置に伴い配設されたヒーター部材同士を連結することにより行えばよいため、ヒーター部材を搬入してからヒーター部材の位置決めおよび連結を行う従来の施工方法に比べて、作業性に優れている。なお、ヒーター部材としては、例えば、ヒーター管を構成する管材や、電熱線等がある。
【０００６】
前記タンク底版の施工方法は、架台形成工程の前にタンク施工サイトとは異なる位置に設けられた仮設サイトにおいて底版架台を形成する仮組み立て工程を備えているのが望ましい。この場合、架台形成工程では、仮組み立て工程で組み立てられた底版架台を移動させればよい。また、仮設サイトにおいて、一旦、底部架台を形成しておくことで、ヒーター部材の位置が定まり、本設時には、微調整のみで底部ヒーターの施工ができる。また、ヒーター部材の連結箇所を、架台ブロック同士の接合部に配置することできるため、施工性が向上する。
また、架台形成工程では、タンク施工サイトと仮設サイトとの間に配設された揚重機を利用して、仮設サイトからタンク施工サイトに底版架台を構成する架台ブロックを移動させるのが望ましい。このようにすることで、架台ブロックの配置の間違いを減らすことができる。そのため、ヒーター部材の位置決めが容易である。
さらに、架台形成工程ではヒーター部材を所定の位置から横方向にずらした状態で底版架台に仮止めしておき、ヒーター形成工程ではヒーター部材を所定の位置にずらしてから他のヒーター部材と連結するのが望ましい。このようにすることで、架台ブロックを設置する際にヒーター部材が他の部材に接触することを防止することができるとともに、ヒーター部材をずらすのみで位置決めが完了するため施工性に優れている。
【０００７】
また、本発明の底版架台は、複数の架台ブロックを並設することにより形成されたものである。前記架台ブロックは、足場と、前記足場の下方に配管された管材と、前記管材を支持する管サポートと、前記足場および前記管サポートを支持する支柱とを備えている。
かかる底版架台によれば、管材の上方に足場を備えているため、底版の上部鉄筋の配筋作業と、上下の鉄筋の間に配設される底部ヒーターの形成作業とを並行して実施することができる。そのため、工期短縮化を図ることができる。また、底版架台は、複数の架台ブロックを配置することにより形成することができるため、多数の部材をタンク施工サイトで組み合わせることによって架台を形成する場合に比べて手間を大幅に削減することができる。
なお、底版架台は、中央部に配設される平面視円形状の第一架台ブロックと、前記第一架台ブロックの周囲を囲うように配設される平面視弧状の第二架台ブロックとを備えているのが望ましい。
【発明の効果】
【０００８】
本発明のタンク底版の施工方法およびこれに使用する底版架台によれば、従来の施工方法に比べて工期短縮化を図ることを可能となる。
【図面の簡単な説明】
【０００９】
【図１】本発明の実施形態に係るタンクを示す断面図である。
【図２】タンク底版の一部を示す断面図である。
【図３】底版架台を示す平面図である。
【図４】（ａ）は架台ブロックを示す斜視図、（ｂ）は架台ブロックの支柱の脚部を示す拡大側面図である。
【図５】（ａ）は架台ブロックの足場を示す平面図、（ｂ）同管サポートを示す平面図である。
【図６】図４に示す架台ブロックであって、（ａ）はＡ−Ａ矢視図（ｂ）はＢ−Ｂ矢視図である。
【図７】タンク施工サイトと仮設サイトを示す平面図である。
【図８】タンク底版の施工方法の施工工程を示す断面図であって、（ａ）は下筋配筋工程、（ｂ）は架台形成工程、（ｃ）はヒーター形成工程である。
【発明を実施するための形態】
【００１０】
本実施形態では、地下ＬＮＧタンク（以下、「タンク１」という。）のタンク底版（以下、「底版１０」という。）を施工する場合について説明する。本実施形態のタンク１は、いわゆるメンブレン方式により形成されており、図１に示すように、底版１０と、底版１０に立設された側壁１１と、側壁１１により囲まれた空間の頂部を遮蔽する屋根１２と、側壁１１の周囲に形成された連続地中壁１３と、底版１０および側壁１１の内面に取り付けられたメンブレン１４とを備えている。 なお、タンク１の構成は限定されるものではなく、タンク方式に応じて適宜決定すればよい。
【００１１】
側壁１１は、底版１０の周縁部に立設されたコンクリート構造体である。本実施形態の側壁１１は、平面視円形（円筒状）を呈している。なお、側壁１１の壁厚、壁高および平面形状は適宜決定すればよい。
屋根１２は、側壁１１の上端に形成されていて、メンブレン１４の上面を覆っている。屋根１２の周縁部は、側壁１１の上端部に固定されている。本実施形態の屋根１２は鋼製部材により形成されている。なお、屋根１２を構成する材料は限定されるものではなく、例えばコンクリート部材により形成してもよい。また、屋根１２の断面寸法は、適宜決定すればよい。
連続地中壁１３は、側壁１１の外周囲を囲うように円筒状に形成されている。連続地中壁１３は、立坑１５を形成するための土留壁であって、連続地中壁１３の内側には、タンク１を形成するための空間が形成されている。なお、連続地中壁１３の深さや壁厚等は限定されるものではなく、適宜設定すればよい。
【００１２】
底版１０は、メンブレン１４の下面を覆うように形成されたコンクリート構造体である。底版１０の内部には、図２に示すように、上下二段の鉄筋２（下部鉄筋２１および上部鉄筋２２）と、底部ヒーター３とが埋設されている。また、底版１０には、上部鉄筋２２および底部ヒーター３を支持する底版架台４が埋設されている。
底版架台４は、図３に示すように、複数の架台ブロック５，５，…を並設することにより形成されている。本実施形態の底版架台４は、中央部に配設される平面視円形状（多角形状）の第一架台ブロック５１と、第一架台ブロック５１の周囲を囲うように配設される平面視弧状の第二架台ブロック５２とを備えている。架台ブロック５と隣接する他の架台ブロック５との間には隙間が確保されている。なお、架台ブロック５の形状、配置および数量等は、底版１０の形状に応じて適宜決定すればよい。
【００１３】
架台ブロック５は、図４（ａ）に示すように、上下二段の足場６，６と、足場６同士の間（上側の足場６ａの下方）に配管された管材（ヒーター部材）３１と、管材３１を支持する管サポート７と、足場６および管サポート７を支持する複数本の支柱８とを備えている。
足場６は、図５（ａ）に示すように、複数の溝形鋼を組み合わせることにより形成された骨組６１と、骨組６１の開口部分のを覆うメッシュ材（いわゆるメッシュ足場）６２とを備えている。なお、足場６の構成は限定されるものではなく、例えば、鋼板であってもよいし、枠材により支持されたメッシュ材６２であってもよい。また、骨組６１を形成する鋼材は溝形鋼に限定されるものではなく、例えば、Ｈ形鋼や山型鋼であってもよい。さらに、架台ブロック５は、少なくとも上部鉄筋２２を配筋する際に使用する上側の足場６ａを備えていればよく、架台ブロック５に設ける足場６の段数は限定されるものではない。例えば、底版１０の厚さが大きい場合には、架台ブロック５に三段以上の足場６，６，…を設けてもよい。
管サポート７は、図５（ｂ）に示すように、山型鋼を組み合わせることにより形成されている。なお、管サポート７を構成する材料は限定されるものではない。図６（ａ）および（ｂ）に示すように、管サポート７は、上下の足場６の間において、両足場６と間隔をあけた状態で支柱８に支持されている。管サポート７は、底部ヒーター３（管材３１）の配置に応じて、段差を有している。上下の足場６同士の間、足場６と管サポート７との間には、必要に応じて斜材を設置する。
支柱８は、下部鉄筋２１の上方に立設する。支柱８の下端には、図４（ｂ）に示すように、支柱ベース８１として鋼板が固定されている。支柱ベース８１は、立坑１５の底面に立設させた４本のコンクリートブロック８２上に載置する。コンクリートブロック８２は、下部鉄筋２１同士の間に配置されており、下部鉄筋２１の上方に突出している。４本のコンクリートブロック８２上には、敷板８３が上載されていて、支柱ベース８１は、敷板８３の上面に載置されている。なお、支柱ベース８１と敷板８３との間には、必要に応じてモルタルを介設して高さ調整を行う。なお、高さ調整に使用する材料はモルタルに限定されるものではなく、例えば、鋼板を支柱ベース８１と敷板８３との間に介設してもよい。また、支柱８（架台ブロック５）の据付方法は、コンクリートブロック８２を利用した方法に限定されるものではない。また、支柱８を支持する土台（コンクリートブロック８２および敷板８３）の構成は限定されるものではない。例えば、コンクリートブロック８２の本数は必ずしも４本である必要はない。
【００１４】
底部ヒーター３は、底版１０内に配設された管路であって、内部に熱媒（例えば、不凍液等）を循環させることにより、タンク１内の温度により基礎地盤が凍結することを防止する。底部ヒーター３は、管材（ヒーター部材）３１を連結することにより形成されている。本実施形態の底部ヒーター３は、コイル状に配設されている。なお、底部ヒーター３の構成は限定されるものではなく、例えば、電熱線により構成してもよい。
【００１５】
次に、タンク底版の施工方法について説明する。本実施形態のタンク底版の施工方法は、仮組み立て工程と、下筋配筋工程と、架台形成工程と、ヒーター形成工程と、上筋配筋工程と、打設工程とを備えている。
仮組み立て工程では、タンク施工サイトＳ１（立坑１５の底部）とは異なる位置に設けられた仮設サイトＳ２において底版架台４の仮組み立てを行う。仮設サイトＳ２は、図７に示すように、タンク施工サイトＳ１の近傍に設けられていて、タンク施工サイトＳ１（立坑１５の平面積）と同等以上の広さを有している。
底版架台４の仮組み立ては、底版架台４を構成する複数の架台ブロック５を配置することにより行う。なお、架台ブロック５は、仮設サイトＳ２で組み立てても良いし、仮設サイトＳ２とは別のサイトや工場で等で組み立ててもよい。
仮組み立て工程では、各架台ブロック５の配置が、タンク施工サイトＳ１において底版架台４を組み立てる際と同じ配置となるように組み立てる。
【００１６】
下筋配筋工程では、図８（ａ）に示すように、タンク施工サイトＳ１（立坑１５の底部）に下部鉄筋２１を配筋する。下部鉄筋２１は、立坑１５の底部において、格子状に組み立てる。下部鉄筋２１は、スペーサにより、立坑１５の底面から隙間をあけて配筋する。本実施形態では、下筋配筋工程を仮組み立て工程と並行して行う。なお、下筋配筋工程を実施するタイミングは、架台形成工程の前であれば限定されるものではなく、仮組み立て工程の前または後に実施してもよい。
下部鉄筋２１を配筋したら、所定の位置にコンクリートブロック８２を配置する。コンクリートブロック８２は、格子状の下部鉄筋２１の隙間を挿通させることで、立坑１５の底部に立設する。本実施形態では、架台ブロック５の支柱８の直下に対応する位置に、それぞれ４本のコンクリートブロック８２を配設する。なお、コンクリートブロック８２は、架台形成工程において、架台ブロック５を配置する際に、所定の位置に立設させてもよい。
【００１７】
架台形成工程では、図８（ｂ）に示すように、仮組み立て工程で組み立てられた底版架台４を移動させることで下部鉄筋２１の上方に底版架台４を形成する。本実施形態では、図７に示すように、タンク施工サイトＳ１と仮設サイトＳ２との間に配設された揚重機Ｍを利用して、仮設サイトＳ２からタンク施工サイトＳ１に底版架台４を移動する。底版架台４の移動は、底版架台４を構成する架台ブロック５を個々に移動させることにより行う。架台ブロック５は、仮設サイトＳ２と同じ配置になるように、タンク施工サイトＳ１に移動する。このとき、タンク施工サイトＳ１と仮設サイトＳ２との両方を視認しながら、架台ブロック５を所定の位置に配置する。なお、架台ブロック５を吊持する揚重機Ｍは、クローラークレーンやラフタークレーン等であってもよいし、タワークレーン等であってもよい。また、複数台の揚重機Ｍを使用してもよい。架台ブロック５は、図８（ｂ）に示すように、支柱ベース８１をコンクリートブロック８２に載置することにより、下部鉄筋２１の上方に配置する。このとき、コンクリートブロック８２の上面には、敷板８３が配置されている。また、架台ブロック５の水平性を確保するために、高さ調整を行う場合には、支柱ベース８１と敷板８３との間に、モルタル等の高さ調整材を介設する。
また、管材（ヒーター部材）３１は、所定の位置から横方向（既設の架台ブロック５から離れる方向）にずらした状態で架台ブロック５に仮止めしておく。こうすることで、架台ブロック５を移動する際に、管材３１が、既設の架台ブロック５に接触することを防止する。
【００１８】
ヒーター形成工程では、下部鉄筋２１の上方に底部ヒーター３を形成する。底部ヒーター３は、架台ブロック５に仮止めされた管材３１同士を連結することにより形成する。管材３１同士の連結は、管材３１の端面同士を突き合わせた状態で溶接することにより行う。管材３１は、既設の架台ブロック５方向（図８において右方向）にずらすことで、既設の架台ブロック５に取り付けられた管材３１と突き合わせる。なお、管材３１同士の連結は、底版架台４の下側の足場６ｂ上の作業員が行う。管材３１の接続作業は、タンク施工サイトＳ１に架台ブロック５が配置されたら、順次行うものとする。すなわち、ヒーター形成工程は、架台形成工程と並行して行うものとする。なお、ヒーター形成工程は、架台形成工程によって底版架台４が形成されてから実施してもよい。
【００１９】
上筋配筋工程では、図８（ｃ）に示すように、底版架台４上に上部鉄筋２２を配筋する。上部鉄筋２２の配筋作業は、底版架台４（架台ブロック５）の上側の足場６ａ上において行う。上部鉄筋２２の配筋は、架台ブロック５が配設された箇所から順次行う。すなわち、上筋配筋工程は、架台形成工程およびヒーター形成工程と並行して行えばよい。なお、上筋配筋工程を実施するタイミングは、架台形成工程と打設工程との間であれば限定されるものではなく、架台形成工程によって底版架台４が形成されてから実施してもよい。
打設工程では、下部鉄筋２１、上部鉄筋２２および底部ヒーター３が配設された立坑１５の底部にコンクリートを打設する。
【００２０】
本実施形態のタンク底版の施工方法および底版架台４によれば、仮設サイトＳ２において一旦形成された底版架台４をタンク施工サイトＳ１を移動させることで底版架台４の施工が完了するため、施工性に優れている。仮設サイトＳ２において、管材３１の位置が定まっているため、本設時には、微調整のみで底部ヒーター３を施工することができる。すなわち、定尺で搬入される管材３１を、溶接個所が架台ブロック５同士の間になるように長さを調整し、架台ブロック５毎ナンバリングした状態でタンク施工サイトＳ１搬入するため、管材３１の配管作業の手間を大幅に削減することができる。また、管材３１同士の連結箇所を、架台ブロック５同士の接合部（隙間）に配置しているため、施工性しやすい。すなわち、タンク施工サイトＳ１における作業を極力減らすことで、工期短縮化が可能となる。
架台ブロック５の移動は、タンク施工サイトＳ１と仮設サイトＳ２との間に配設された揚重機Ｍを利用して行うため、移動時の手間が少ない。また、両サイト（タンク施工サイトＳ１と仮設サイトＳ２）を視認しながら作業を行えば、架台ブロック５の配置の間違いを減らすことができる。
また、底部ヒーター３の施工（ヒーター形成工程）と並行して、底版架台４の上で上部鉄筋２２の配筋（上筋配筋工程）を行うことができため、工期短縮が可能である。また、架台形成工程では、予め上下二段の足場６，６と管材３１とを備える架台ブロック５を配設することにより底版架台４を形成するため、底部ヒーター３用の架台と、上部鉄筋２２用の架台とを個別に形成する従来の施工方法に比べて、手間を大幅に削減することができる。底部ヒーター３の施工は、架台ブロック５の設置に伴い配設された管材３１同士を連結することにより行えばよいため、架台とは別に管材３１を搬入し、架台上において管材３１の位置決めおよび連結を行う従来の施工方法に比べて、作業性に優れている。
【００２１】
以上、本発明に係る実施形態について説明した。しかし、本発明は、前述の実施形態に限られず、前記の各構成要素については、本発明の趣旨を逸脱しない範囲で、適宜変更が可能である。
前記実施形態では、タンク施工サイトＳ１とは異なる仮設サイトＳ２において底版架台４を一旦形成するものとしたが、底版架台４は、必ずしも事前に形成する必要はない。
また、仮設サイトＳ２は、必ずしもタンク施工サイトＳ１に隣接している必要はなく、離れた位置に設けられていてもよい。この場合には、トラック等の搬送車を利用して、架台ブロック５を輸送すればよい。
【符号の説明】
【００２２】
１    タンク
１０  底版（タンク底版）
２    鉄筋
２１  下部鉄筋
２２  上部鉄筋
３    底部ヒーター
３１  管材（ヒーター部材）
４    底版架台
５    架台ブロック
６    足場
６ａ  上側の足場
７    管サポート
８    支柱
Ｍ    揚重機
Ｓ１  タンク施工サイト
Ｓ２  仮設サイト
【図１】
2019157513.tif 000003
【図２】
2019157513.tif 000004
【図３】
2019157513.tif 000005
【図４】
2019157513.tif 000006
【図５】
2019157513.tif 000007
【図６】
2019157513.tif 000008
【図７】
2019157513.tif 000009
【図８】
2019157513.tif 000010